(57)【特許請求の範囲】
【請求項１】
浴室の天井面等に設置される長方形の箱体状で側面に屋外に連通する排気口を有し、下面には長手方向に並設される換気用吸込口と循環用吸込口および前記換気用吸込口と循環用吸込口に隣設して長手方向に設けられる吹出口を設けた本体と、この本体内に前記換気用吸込口に対向し、前記排気口と連通し設けられる換気用ファンと、この換気用ファンと隣設し、前記循環用吸込口に対向し、前記吹出口と連通し設けられる循環用ファンと、前記吹出口に浴室側に輻射熱が放熱されるように設けられるヒータとを備え、前記循環用ファンの吹出流が前記ヒータのほぼ中心位置より循環用ファン側の吹出口内に斜めに吐出する吐出口を設け、前記ヒータの輻射熱を反射する反射板を前記ヒータ近傍に設け、前記反射板を浴室の浴槽に隣設する洗い場に向けヒータの輻射熱が放射されるように傾斜して設け、前記反射板の内面側に向かい切り起こし形成される切り起こし片およびこの切り起こし片の切り起こしにより形成される通風口を、前記通風口から逃げようとする前記ヒータの輻射熱を前記切り起こし片によりさえぎり、前記切り起こし片を前記反射板の一部として前記ヒータの輻射熱が浴室側に放射されるように、備えた浴室換気乾燥機。
【請求項２】
反射板と、吹出口を形成する本体内壁との間に低温の循環空気が通る通風路を形成した請求項１記載の浴室換気乾燥機。
【発明の詳細な説明】
【０００１】
【発明の属する技術分野】
本発明は、浴室内の湿気の排気および浴室内に吊り下げられた洗濯物等の被乾燥物の乾燥および浴室の暖房も行うことのできる浴室換気乾燥機に関する。
【０００２】
【従来の技術】
近年、一般家庭における浴室の設置が多くなるに伴い、浴室を利用して洗濯物等の被乾燥物を乾燥させる浴室換気乾燥機が普及されており、小形で低コストで暖房も可能な浴室換気乾燥機の要求が高まってきている。
【０００３】
従来、この種の浴室換気乾燥機の一例として図９に示されるような構成のものが知られていた。
【０００４】
以下、その構成について図９を参照しながら説明する。図に示すように、浴室（図示せず）の天井面に設置される箱状で側面に屋外に連通する排気口１０１を有した本体１０２内に、換気用吸込口１０３を有し、排気口１０１と連通するように換気用ファン１０４を設け、本体１０２の内壁に沿い吹出口１０５を形成し、循環用吸込口１０６を有し、吹出口１０５と連通するように換気用ファン１０４と吹出口１０５間に吐出口１０７を延設し、吹出口１０５に直角に循環空気が流入するように循環用ファン１０８を設け、吹出口１０５には石英管ヒータ１０９を設けていた。
【０００５】
そして、循環用ファン１０８により吹出口１０５に循環風を送り石英管ヒータ１０９で加熱した温風を浴室内に送風して洗濯物等の被乾燥物の乾燥させ、浴室内の湿気は換気用ファン１０４により排気していた。
【０００６】
【発明が解決しようとする課題】
このような従来の浴室換気乾燥機によれば、循環用ファン１０８からの吐出空気が吹出口１０５に直角に流入するため、吹出口１０５に流入される流入口１１０近傍では送風量が多いが、流入口１１０より遠ざかった位置では風量が少なくなり、温風化する熱交換が不均一となって熱交換効率が悪くなるので、循環用ファン１０７を大形にして流入口１１０より遠ざかった位置にまで所定の風量が行きわたることが図られていたが、本体１０２が大形化するとともに、未だ石英管ヒータ１０９における熱交換効率が十分なものでないという課題があった。
【０００７】
本発明は上記課題を解決するもので、ヒータにおける温風化の熱交換効率を向上し、小形化することができ、効率良く被乾燥物を乾燥または浴室を暖房することができる浴室換気乾燥機を提供することを目的とする。
【０００８】
【課題を解決するための手段】
本発明の浴室換気乾燥機においては、浴室の天井面等に設置される長方形の箱体状で側面に屋外に連通する排気口を有し、下面には長手方向に並設される換気用吸込口と循環用吸込口および前記換気用吸込口と循環用吸込口に隣設して長手方向に設けられる吹出口とを設けた本体と、この本体内に前記換気用吸込口に対向し、前記排気口と連通し設けられる換気用ファンと、この換気用ファンと隣設し、前記循環用吸込口に対向し、前記吹出口と連通し設けられる循環用ファンと、前記吹出口に浴室側に輻射熱が放熱されるように設けられるヒータとを備え、前記循環用ファンの吹出流が前記ヒータのほぼ中心位置より循環用ファン側の吹出口内に斜めに吐出する吐出口を設け、前記ヒータの輻射熱を反射する反射板を前記ヒータ近傍に設け、前記反射板を浴室の浴槽に隣設する洗い場に向けヒータの輻射熱が放射されるように傾斜して設け、前記反射板の内面側に向かい切り起こし形成される切り起こし片およびこの切り起こし片の切り起こしにより形成される通風口を、前記通風口から逃げようとする前記ヒータの輻射熱を前記切り起こし片によりさえぎり、前記切り起こし片を前記反射板の一部として前記ヒータの輻射熱が浴室側に放射されるように、備えたものである。
【０００９】
この本発明によれば、ヒータにおける温風化の熱交換効率を向上し、小形化することができ、効率良く被乾燥物の乾燥ができ、通風口よりヒータに低温の循環風が接触し、ヒータの温度上昇を抑制しヒータの長寿命化を図ることができるとともに、通風口から逃げようとする輻射熱を切り起こし片によりさえぎり、切り起こし片を反射板の一部として輻射熱が浴室側に放射され輻射熱のロスが防止できる浴室換気乾燥機を提供することができる。
【００１０】
【発明の実施の形態】
本発明の請求項１に記載の発明は、浴室の天井面等に設置される長方形の箱体状で側面に屋外に連通する排気口を有し、下面には長手方向に並設される換気用吸込口と循環用吸込口および前記換気用吸込口と循環用吸込口に隣設して長手方向に設けられる吹出口とを設けた本体と、この本体内に前記換気用吸込口に対向し、前記排気口と連通し設けられる換気用ファンと、この換気用ファンと隣設し、前記循環用吸込口に対向し、前記吹出口と連通し設けられる循環用ファンと、前記吹出口に浴室側に輻射熱が放熱されるように設けられるヒータとを備え、前記循環用ファンの吹出流が前記ヒータのほぼ中心位置より循環用ファン側の吹出口内に斜めに吐出する吐出口を設け、前記ヒータの輻射熱を反射する反射板を前記ヒータ近傍に設け、前記反射板を浴室の浴槽に隣設する洗い場に向けヒータの輻射熱が放射されるように傾斜して設け、前記反射板の内面側に向かい切り起こし形成される切り起こし片およびこの切り起こし片の切り起こしにより形成される通風口を、前記通風口から逃げようとする前記ヒータの輻射熱を前記切り起こし片によりさえぎり、前記切り起こし片を前記反射板の一部として前記ヒータの輻射熱が浴室側に放射されるように、備えたことにより、循環風は吐出口より吹出口内に斜めに吐出され、吹出口全体に循環風がいきわたり、ヒータとの熱交換効率が高まり、循環用ファンも大形にする必要がなくなり、本体を小形化することができコスト低減が図られ、乾燥の効率の向上を図ることができ、通風口よりヒータに低温の循環風が接触し、ヒータの温度上昇を抑制しヒータの長寿命化を図ることができるとともに、通風口から逃げようとする輻射熱を切り起こし片によりさえぎり、切り起こし片を反射板の一部として輻射熱が浴室側に放射され輻射熱のロスが防止できるという作用を有する。
【００１１】
以下、本発明の実施の形態について図１〜図８を参照しながら説明する。
【００１２】
（参考の形態１）
図１および図２に示すように、浴室１の天井２等に設置される長方形の箱体状で側面に屋外に連通する排気口３を有し、下面には長手方向に並設される換気用吸込口４と循環用吸込口５および換気用吸込口４と循環用吸込口５に隣設して長手方向に吹出口６を設け本体７を形成し、本体７内に換気用吸込口４に対向し、排気口３に連通し換気用ファン８を設け、換気用ファン８と隣設し、循環用吸込口５に対向し、吹出口６と連通する循環用ファン９を設け、吹出口６には浴室１側に輻射熱が放熱されるようにヒータ１０を設け、循環用ファン９の吹出流がヒータ１０の長手方向の中心位置より循環用ファン９側の吹出口６内に斜めに吐出する吐出口１１を設け、ヒータ１０のほぼ全体に循環風が流れるように送風せしめるように構成し、本体７の下方にはルーバー１２を設け、ヒータ１０の輻射熱が浴室１側に向け反射されるように反射板１３を設け構成する。
【００１３】
上記構成において、洗濯物等の被乾燥物（図示せず）を乾燥するときには、浴室１内に被乾燥物（図示せず）を吊下げ、浴室換気乾燥機を運転すると、浴室１内の空気が循環用吸込口５より循環用ファン９内に吸い込まれ、循環用ファン９の吐出口１１より吹出口６内に斜めに送風され、吹出口６全体に行きわたった循環空気がヒータ１０により加熱され、温風となって吹出口６より浴室１内に送られ、被乾燥物が乾燥される。
【００１４】
このとき、反射板１３によりヒータ１０の輻射熱が吹出口６より放射されて被乾燥物の乾燥が促進されることとなる。
【００１５】
一方、被乾燥物から蒸発した湿気は、換気用ファン８により換気用吸込口４より吸い込まれ、排気口３より屋外に排気される。
【００１６】
このように参考の形態１の浴室換気乾燥機によれば、換気用ファン８と循環用ファン９に隣設した長手方向に吹出口６を設け、吹出口６にはヒータ１０を設け、循環用ファン９の吹出流がヒータ１０のほぼ中心位置より循環用ファン９側の吹出口６内に斜めに吐出する吐出口１１を設け、ヒータ１０のほぼ全体に循環風が流れるように送風せしめる構成としたので、ヒータ１０と循環風との熱交換効率が高まり、循環用ファン９を大形にしなくても、所要の温風を効率良く得ることができ、本体７を小形化することができる。
【００１７】
（参考の形態２）
図３に示すように、ヒータ１０の輻射熱を反射する反射板１３Ａをヒータ１０近傍に設け、浴室１の浴槽１４に隣設する洗い場１５に向け、ヒータ１０の輻射熱が放射されるように反射板１３Ａを傾斜して設けた構成とする。
【００１８】
上記構成において、洗濯物等の被乾燥物１６を浴室１内に吊下げ、浴室換気乾燥機を運転すると、浴室１内の空気が循環用ファン９に吸い込まれ、吹出口６内に送られ、吹出口６に設けたヒータ１０により加熱されて、傾斜した反射板１３Ａにより斜め方向に温風が送られ、被乾燥物１６に接触して被乾燥物１６が乾燥されるとともに、ヒータ１０の輻射熱が被乾燥物１６に放射されて乾燥が促進されることとなる。
【００１９】
このように参考の形態２の浴室換気乾燥機によれば、浴室１の浴槽１４に隣設する洗い場１５に向けヒータ１０の輻射熱が放射されるように反射板１３Ａを傾斜して設けたので、被乾燥物１６に対し温風が斜め方向より送風されることにより、被乾燥物１６の下方部分が温風の風にゆれて輻射熱を受けるときの被乾燥物１６による陰が少なくなり、輻射熱が被乾燥物１６に大量に輻射されることとなって乾燥能力が高められる。
【００２０】
また、入浴時に浴室１を暖房するときにもヒータ１０の輻射熱が、入浴者が身体を洗う洗い場１５に向け放射されるとともに、入浴前の予備暖房として洗い場１５を暖房しておくことにより低温時に入浴者に寒さを感じさせることなく快適感を与えることができる。
【００２１】
（参考の形態３）
図４に示すように、反射板１３Ｂの可動中心に可動軸１７を設け、可動軸１７を支点に可動自在に吹出口６Ａに設け、反射板１３Ｂの傾斜角度を可変自在とする角度可変手段１８を構成する。
【００２２】
上記構成において、浴室換気乾燥機を浴室（図示せず）の天井等に設置するときに、吹出口６Ａから送風される温風が浴室の洗い場に向かうように角度可変手段１８により斜めに反射板１３Ｂを可動して調整し、所定位置で反射板１３Ｂを保持し、ヒータ１０で加熱された温風が所定角度に傾斜した状態で使用するようにして実施の形態２と同様の作用効果をもたらす。
【００２３】
また、被乾燥物の種類や大きさに応じて反射板１３Ｂを電動で可動したい場合等には正逆できるタイミングモータ（図示せず）等を可動軸１７に連結することにより可能となるものである。
【００２４】
このように参考の形態３の浴室換気乾燥機によれば、反射板１３Ｂの傾斜角度を角度可変手段１８により可変自在としたので、浴室換気乾燥機の設置時に所定の場所に向け反射板１３Ｂを可動調整することができ、被乾燥物の乾燥に適した方向に温風を送風することが容易にできるとともに、浴室の大きさおよび浴室換気乾燥機の設置位置に関係なく最適な方向に温風を送風することができる。
【００２５】
また、入浴時に暖房に利用するときにも、ヒータ１０の輻射熱が入浴者が身体を洗う洗い場に向け放射されるとともに、入浴前の予備暖房として洗い場を暖房しておくことにより、低温時に入浴者に寒さを感じさせることなく快適感を与えることができる。
【００２６】
なお、参考の形態３においては、角度可変手段１８を反射板１３Ｂに設けた可動軸１７を吹出口６Ａに可動自在に設けることにより構成したが、角度可変手段１８は実施の形態３の構成に限定されるものではなく、要は反射板１３Ｂの傾斜角度を可変できる構成であれば同様の作用効果をもたらすことはいうまでもない。
【００２７】
（参考の形態４）
図５に示すように、反射板１３Ｃの上部に歯形１９を有したラチエット棒２０を吹出口６Ｂと吹出口６Ｂの上板部分となる本体７を貫通して上下自在に設け、本体７上のラチエット棒２０の歯形１９に係合する歯車２１を有したギヤー電動機２２を設け、切替スイッチ（図示せず）等でギヤー電動機２２の運転を操作できるようにして、反射板１３Ｃの上下可動手段２３を構成する。
【００２８】
上記構成において、被乾燥物を乾燥するときのように、温風量が多く必要なときには、上下可動手段２３のギヤー電動機２２を正回転することにより、ギヤー電動機２２によりラチエット棒２０が上昇し、反射板１３Ｃが引き上げられる。
【００２９】
そして、反射板１３Ｃが上方位置にあるときには、循環用ファン（図示せず）の吐出口１１から送風される空気が反射板１３Ｃの影響を受けることなく多量に吹出口６Ｂに送風され、ヒータ１０により加熱されて多量の温風が浴室内に送られ被乾燥物が乾燥されることとなる。
【００３０】
また、暖房に利用するときには、温風量が少なく、ヒータ１０の輻射熱が多い程効率も良く入浴者にドラフト感を与えることがなくなるので、暖房をするときには、上下可動手段２３のギヤー電動機２２を逆回転することにより反射板１３Ｃは下降位置に移動する。この状態では、吹出口６Ｂは反射板１３Ｃでほぼ閉鎖される状態になるので、循環用ファンからの空気は最小限度で吹出口６Ｂより送風されることとなるが、ヒータ１０が吹出口６Ｂの最下降位置に移動したことにより浴室内の洗い場に近づくこととなって、洗い場がヒータ１０の輻射熱により効率良く暖房され、入浴者にドラフト感を与えることがなくなる。
【００３１】
また、暖房時に循環用ファンの運転を停止しても暖房は可能となる。このように本発明の実施の形態４の浴室換気乾燥機によれば、上下可動手段２３により反射板１３Ｃを吹出口６Ｂ内で上下自在に設けたので、乾燥時には反射板１３Ｃを上方位置に上昇させることにより、多量の温風を吹出口６Ｂより被乾燥物に向け放散でき、乾燥を効率良く行うことができる。
【００３２】
また、暖房時には上下可動手段２３により反射板１３Ｃを下方位置に下降することによりヒータ１０が浴室側に近づくことになり、輻射熱を多く放射し暖房を効率良く行うことができるとともに、循環用ファンの運転を停止することが可能となり、省エネルギーを図ることができる。
【００３３】
なお、参考の形態４においては、上下可動手段２３を、反射板１３Ｃに設けたラチエット棒２０をギヤー電動機２２で上下するようにして構成したが、上下可動手段２３は実施の形態４の構成に限定されるものではなく、要は反射板１３Ｃが上下自在となる構成であれば、同様の作用効果をもたらすことはいうまでもない。
【００３４】
（参考の形態５）
図６に示すように、反射板１３Ｄの両端部に設けられ、本体７Ａに形成された吹出口６Ｃの内壁に沿い嵌挿される箱形状で、ヒータ１０Ａを支持する取付台２４によりユニット化されたヒータユニット２５を形成し、ヒータユニット２５を吹出口６Ｃに配設するため、ヒータユニット２５の取付台２４が吹出口６Ｃに装着されたときに、取付台内部２６の空間部分と本体７Ａ外部とを連通する空気抜き孔２７を吹出口６Ｃ側壁となる本体７Ａに設け構成する。
【００３５】
上記構成において、被乾燥物の乾燥時等に湿気を含んだ循環風がヒータユニット２５部分を通りヒータ１０Ａにより加熱され温風化されるときに、湿気がヒータユニット２５に付着し、取付台内部２６の空間部分にも浸入することとなるので、このように取付台内部２６の空間部分に溜まる湿気を本体７Ａに設けた空気抜き孔２７より本体７Ａ外部に放散し、取付台内部２６に露出しているヒータ１０Ａと電源との接続部分等の充電部に湿気が接触あるいは浸入して漏電を起こしたり損傷するのを防止することができる。
【００３６】
このように参考の形態５の浴室換気乾燥機によれば、ヒータユニット２５の装着時に取付台内部２６と連通するように本体７Ａに空気抜き孔２７を設けたので、取付台内部２６に溜まる湿気が空気抜き孔２７より本体７Ａ外部に抜け、取付台内部２６に露出している充電部分等に湿気が浸入するのが防止され、安全性が高められるとともに、ユニット化することによりメンテ時の交換が容易となる。
【００３７】
（実施の形態１）
図７に示すように、反射板１３Ｅの内面側に向かい切り起こし形成される複数の切り起こし片２８および切り起こし片２８の切り起こしにより形成される通風口２９を設け構成する。
【００３８】
上記構成において、循環風ファン（図示せず）により循環される低温の循環空気は、吐出口１１より吹出口６に送られ、ヒータ１０の輻射熱により加熱され温風となって浴室１内に送風され、乾燥あるいは暖房が行われる。
【００３９】
このとき、吐出口１１より吹出口６に送風される低温の循環空気の一部が通風口２９より反射板１３Ｅの内面側に送られヒータ１０に接触し、ヒータ１０の急激な温度上昇が緩和される。
また、通風口２９から反射板１３Ｅの外部へ逃げようとする輻射熱が切り起こし片２８によりさえぎられるとともに、切り起こし片２８に放射された輻射熱は反射熱の一部として反射板１３Ｅで反射された熱とともに浴室１側に放射されることとなる。
【００４０】
このように本発明の実施の形態１の浴室換気乾燥機によれば、反射板１３Ｅの内面側に向かい切り起こし形成される切り起こし片２８および通風口２９を設けたので、通風口２９を通り送られた低温の循環空気がヒータ１０に接触することとなり、ヒータ１０の温度上昇が抑制され、ヒータ１０の長寿命化が図られるとともに、切り起こし片２８により通風口２９より逃げる輻射熱がさえぎられ、輻射熱のロスを防止できる。
【００４１】
（実施の形態２）
図８に示すように、吹出口６を形成する本体７Ｂの内壁との間に低温の循環空気が通る通風路３０が形成されるように反射板１３Ｆの一端を延長して構成する。
【００４２】
上記構成において、循環用ファン（図示せず）により循環される低温の循環空気は吐出口１１より吹出口６に送られ、ヒータ１０の輻射光により加熱され温風となって浴室１内に送風され、乾燥あるいは暖房が行われる。
【００４３】
このとき、吐出口１１より吹出口６に向かい送風される低温の循環空気の一部が反射板１３Ｆの上面側を経て通風路３０を通ることとなり、吹出口６を形成する本体７Ｂの内壁が冷却され、本体７Ｂの温度上昇が緩和される。
【００４４】
このように本発明の実施の形態２の浴室換気乾燥機によれば、反射板１３Ｆと本体７Ｂの内壁との間に通風路３０を形成したので、本体７Ｂの温度上昇が抑制され安全性が高められる。
【００４５】
【発明の効果】
以上の実施の形態から明らかなように本発明によれば、浴室の天井面等に設置される長方形の箱体状で側面に屋外に連通する排気口を有し、下面には長手方向に並設される換気用吸込口と循環用吸込口に隣設して長手方向に設けられる吹出口を設けた本体と、この本体内に前記換気用吸込口に対向し、前記排気口と連通し設けられる換気用ファンと、この換気用ファンと隣設し、前記循環用吸込口に対向し、前記吹出口と連通し設けられる循環用ファンと、前記吹出口に浴室側に輻射熱が放熱されるように設けられるヒータとを備え、前記循環用ファンの吹出流が前記ヒータのほぼ中心位置より循環用ファン側の吹出口内に斜めに吐出する吐出口を設け、前記ヒータの輻射熱を反射する反射板を前記ヒータ近傍に設け、前記反射板を浴室の浴槽に隣設する洗い場に向けヒータの輻射熱が放射されるように傾斜して設け、前記反射板の内面側に向かい切り起こし形成される切り起こし片およびこの切り起こし片の切り起こしにより形成される通風口を、前記通風口から逃げようとする前記ヒータの輻射熱を前記切り起こし片によりさえぎり、前記切り起こし片を前記反射板の一部として前記ヒータの輻射熱が浴室側に放射されるように、備えた構成としたので、循環風の通気抵抗の少ない効率の良い小形の浴室換気乾燥機を提供でき、また、入浴中および予備暖房時において、洗い場に向けヒータの輻射熱が放射されるとともに、乾燥時には被乾燥物に効率良く温風が接触し、暖房および乾燥を効率良く行うことができ、さらに、反射板の内側面に向かい切り起こし形成される切り起こし片およびこの切り起こし片の切り起こしにより形成される通風口を、前記通風口から逃げようとする前記ヒータの輻射熱を前記切り起こし片によりさえぎり、前記切り起こし片を前記反射板の一部として前記ヒータの輻射熱が浴室側に放射されるように、備えたので、通風口よりヒータに低温の循環風が接触し、ヒータの温度上昇を抑制しヒータの長寿命化を図ることができるとともに、通風口から逃げようとする輻射熱を切り起こし片によりさえぎり、切り起こし片を反射板の一部として輻射熱が浴室側に放射され輻射熱のロスが防止できる浴室換気乾燥機を提供できる。
【００４６】
また、反射板と吹出口を形成する本体内壁との間に低温の循環空気が通る通風路を形成したので、本体内壁の温度上昇が抑制され安全性が高められる。
【図面の簡単な説明】
【図１】  参考の形態１の浴室換気乾燥機の一部破断した下面図
【図２】  同浴室換気乾燥機の設置状態を示す断面図
【図３】  参考の形態２の浴室換気乾燥機を設置した浴室の構成を示す断面図
【図４】  参考の形態３の浴室換気乾燥機の反射板の状態を示す断面図
【図５】  参考の形態４の浴室換気乾燥機の反射板の状態を示す断面図
【図６】  参考の形態５の浴室換気乾燥機のヒータユニットの装着状態を示す斜視図
【図７】  本発明の実施の形態１の浴室換気乾燥機の反射板の状態を示す断面図
【図８】  本発明の実施の形態２の浴室換気乾燥機の反射板の状態を示す断面図
【図９】  従来の浴室換気乾燥機の構成を示す下面図
【符号の説明】
１  浴室
２  天井
３  排気口
４  換気用吸込口
５  循環用吸込口
６  吹出口
６Ｃ  吹出口
７  本体
７Ａ  本体
７Ｂ  本体
８  換気用ファン
９  循環用ファン
１０  ヒータ
１０Ａ  ヒータ
１１  吐出口
１３Ａ  反射板
１３Ｂ  反射板
１３Ｃ  反射板
１３Ｄ  反射板
１３Ｅ  反射板
１３Ｆ  反射板
１４  浴槽
１５  洗い場
１８  角度可変手段
２３  上下可動手段
２４  取付台
２５  ヒータユニット
２６  取付台内部
２７  空気抜き孔
２８  切り起こし片
２９  通風口
３０  通風路
【図１】
0003751157.tif 000002
【図２】
0003751157.tif 000003
【図３】
0003751157.tif 000004
【図４】
0003751157.tif 000005
【図５】
0003751157.tif 000006
【図６】
0003751157.tif 000007
【図７】
0003751157.tif 000008
【図８】
0003751157.tif 000009
【図９】
0003751157.tif 000010